(57)【要約】【課題】シートバックなどの車両用部材がどのような傾斜角度に調整された場合であっても、ドリンクホルダーなどの機能部材を常に使いやすい姿勢に保つことのできるコンソールを提供する。【解決手段】シートバックに組付けられたコンソールベース１０と、このコンソールベースに設けられたドリンクホルダー３０とにより構成されている。ドリンクホルダーは、コンソールベースの支持軸１２に対し、その軸心を支点とする回転が可能で、かつ、所定距離の直線スライドが可能に支持されている。ドリンクホルダーは、そのスライドによって回転がロックされるロック状態と、そのロックが解除されるロック解除状態とに切替えることが可能とされ、ロック解除状態においてはシートバックの傾斜角度に応じてドリンクホルダーの使用に適した回転位置に回転操作でき、ロック状態ではドリンクホルダーの使用に適した回転位置でロックされる。【選択図】図９
2015009664.tif 000002
【特許請求の範囲】
【請求項１】
傾斜角度を調整することができる車両用部材に組付けられたコンソールベースと、このコンソールベースに設けられたドリンクホルダーなどの機能部材とにより構成されるコンソールであって、
機能部材は、コンソールベースの支持軸に対し、その軸心を支点とする回転が可能で、かつ、所定距離の直線スライドが可能に支持され、
機能部材は、そのスライドによって回転がロックされるロック状態と、そのロックが解除されるロック解除状態とに切替えることが可能であり、ロック解除状態においては、車両用部材の傾斜角度に応じて機能部材をその使用に適した回転位置に回転操作でき、ロック状態では機能部材を使用に適した回転位置でロックするように構成されているコンソール。
【請求項２】
請求項１に記載のコンソールであって、
機能部材は、そのロック状態を維持したまま、所定量のスライドが可能であり、かつ、そのスライドによる任意の調整位置に位置決めすることができるように構成されているコンソール。
【発明の詳細な説明】
【技術分野】
【０００１】
本発明は、車両用のコンソールに関する。詳しくは、傾斜角度を調整することができる車両用部材に組付けられたコンソールベースと、このコンソールベースに設けられた機能部材とにより構成されるコンソールに関する。
【背景技術】
【０００２】
この種のコンソールにおいては、その一例が特許文献１に開示されている。このコンソールは、車両用のシートバック（車両用部材）の背面に組付けられたコンソールベースと、そこに取付けられたドリンクホルダー（機能部材）とによって主に構成されている。ドリンクホルダーは、シートバックを車両の前方へほぼ水平状態に倒し込んだときに、その開放面がほぼ真上を向くようにコンソールベースに組付けられている。
【先行技術文献】
【特許文献】
【０００３】
【特許文献１】特開平７−３１５０８７号公報
【発明の概要】
【発明が解決しようとする課題】
【０００４】
特許文献１のコンソールは、前述のようにシートバックを前方へ倒し込むことがドリンクホルダーを使用するための条件になっている。このため、シートバックを起こしたシートの使用状態では、ドリンクホルダーとしての機能を果たすことができない。
【０００５】
本発明は、上記のような問題点を解決しようとするものであって、その目的は、シートバックなどの車両用部材がどのような傾斜角度に調整された場合であっても、ドリンクホルダーなどの機能部材を常に使いやすい姿勢に保つことのできるコンソールを提供することである。
【課題を解決するための手段】
【０００６】
本発明は、上記の目的を達成するためのもので、以下のように構成されている。
傾斜角度を調整することができる車両用部材に組付けられたコンソールベースと、このコンソールベースに設けられたドリンクホルダーなどの機能部材とにより構成されるコンソールであって、機能部材は、コンソールベースの支持軸に対し、その軸心を支点とする回転が可能で、かつ、所定距離の直線スライドが可能に支持されている。
機能部材は、そのスライドによって回転がロックされるロック状態と、そのロックが解除されるロック解除状態とに切替えることが可能であり、ロック解除状態においては、車両用部材の傾斜角度に応じて機能部材をその使用に適した回転位置に回転操作でき、ロック状態では機能部材を使用に適した回転位置でロックするように構成されている。
【０００７】
さらに好ましくは、つぎのような構成とすることである。
機能部材は、そのロック状態を維持したまま、所定量のスライドが可能であり、かつ、そのスライドによる任意の調整位置に位置決めすることができるように構成されている。
【発明の効果】
【０００８】
本発明において、機能部材は、車両用部材の傾斜角度に合わせて、その使用に適した回転位置に回転操作でき、かつ、その回転位置でロックされる。そのため、車両用部材がどのような傾斜角度に調整されても、機能部材を常に使いやすい姿勢に保つことができる。
【０００９】
また、ロック状態にある機能部材をスライドさせることでき、かつ、任意の調整位置で位置決め可能としたことにより、例えば使用状態にある機能部材を好みの高さに調整することができる。
【図面の簡単な説明】
【００１０】
【図１】コンソールを備えた車両用シートの外観斜視図である。
【図２】コンソールの外観斜視図である。
【図３】図２のＩＩＩ−ＩＩＩ矢視方向の断面図である。
【図４】図２のＩＶ−ＩＶ矢視方向の断面図である。
【図５】ドリンクホルダーを第１回転位置でロック解除する様子を表した断面図である。
【図６】ドリンクホルダーを第２回転位置の側へ回転操作する様子を表した断面図である。
【図７】ドリンクホルダーを第２回転位置に回転させた様子を表した断面図である。
【図８】ドリンクホルダーを第２回転位置でロックする様子を表した断面図である。
【図９】コンソールを後方に起こした状態を表した断面図である。
【図１０】ドリンクホルダーの位置決め状態を図４との対応によって表した断面図である。
【発明を実施するための形態】
【００１１】
以下、本発明を実施するための形態を、図面を用いて説明する。
コンソール１は、車両用シートのシートバック６０の背面に組付けられている。図１（ａ）に示すように、シートバック６０をシートクッション６２に重ねた状態に前方へ倒し込んだとき、コンソール１はほぼ水平に位置している。図１（ｂ）に示すように、シートバック６０をシートクッション６２から起こしたシートの使用状態におけるコンソール１は、ほぼ垂直に位置している。
シートクッション６２に対して傾斜角度を調整することができるシートバック６０が、本発明の「車両用部材」に相当する。
【００１２】
以下、図２乃至図８と図１０とに示すように、コンソール１がほぼ水平に位置している状態を基準として、その構成を説明する。
図２に示すように、コンソール１は、コンソールベース１０と、コンソールベース１０に設置されているドリンクホルダー３０およびテーブル５０によって構成されている。ドリンクホルダー３０は、その上面３０ａを開放された４つの容器保持部を一体に備えている。このドリンクホルダー３０が本発明の「機能部材」に相当する。
ドリンクホルダー３０とテーブル５０とは、後述のようなドリンクホルダー３０の回転操作が可能となる間隔を置いて互いに設置されている。
【００１３】
コンソールベース１０の両側の内壁には、ドリンクホルダー３０を支持するための支持軸１２が設けられている。両支持軸１２は、ドリンクホルダー３０の両側部において溝形状に形成された軸受け部４０にそれぞれ挿入され、それによってドリンクホルダー３０を両側から支持している（図３参照）。但し、図３ではコンソールベース１０の左側の支持構造のみが示され、右側の支持構造は省略されている。なお、両軸受け部４０は、ドリンクホルダー３０の上下に長く延びている。
以下、軸受け部４０の上下は、ドリンクホルダー３０の上下を基準とする。
【００１４】
両支持軸１２によって支持されたドリンクホルダー３０は、両支持軸１２の軸心を支点とした回転操作を可能とされている。この回転操作により、ドリンクホルダー３０を図４および図５に示す第１回転位置と、図７および図８に示す第２回転位置とに回転させることができる。第１回転位置とは、ドリンクホルダー３０の上面３０ａがコンソールベース１０の上方を向いた状態にある回転位置である。また、第２回転位置とは、ドリンクホルダー３０の上面３０ａがコンソールベース１０の前方を向いた状態にある回転位置である。
【００１５】
ドリンクホルダー３０は、両支持軸１２に対して軸受け部４０の長さ方向の寸法に相当する距離だけ直線的にスライド操作することが可能である。そこで、ドリンクホルダー３０を第１回転位置あるいは第２回転位置においてスライド操作することにより、ドリンクホルダー３０の回転をロックし、あるいはロックを解除することが可能である。このロックおよびロック解除のための構成を、以下に説明する。
【００１６】
図４および図１０に示すように、第１回転位置にあるドリンクホルダー３０は、支持軸１２が軸受け部４０の中央下部から上端側に位置する状態で、コンソールベース１０に設けられている第１ロックリブ１４によって回転をロックされるように設定されている。
第１ロックリブ１４は、第１回転位置にあるドリンクホルダー３０の後面３０ｃ側の下方で上下に延びている（図４および図１０参照）。第１ロックリブ１４は、支持軸１２が軸受け部４０の中央下部から上端側に位置する状態で、ドリンクホルダー３０のリブ受け部３２に対して挿入されて、ドリンクホルダー３０の回転をロックすることができるように構成されている。
なお、リブ受け部３２は、ドリンクホルダー３０の後面３０ｃ側の下部に設けられた凹みであり、下へ開放されている（図４参照）。
【００１７】
ロック状態とされたドリンクホルダー３０は、そのロック状態を維持したまま所定量のスライドが可能である。そして、そのスライドによって支持軸１２が軸受け部４０の上端部もしくは膨出部４２に位置する状態となるとき、ドリンクホルダーは支持軸１２によって軸受け部４０の上端部もしくは膨出部４２を支持されることで位置決めされる（図４および図１０参照）。
図４に示すように、膨出部４２は、軸受け部４０の両縁において上下に連続して設けられており、その上下の中間位置で外方へ凹んでいる。膨出部４２は、この凹みによって支持軸１２を受止めることができるように構成されている（図１０参照）。
【００１８】
図５に示すように、支持軸１２が軸受け部４０の下端部に位置する所までドリンクホルダー３０をスライドさせると、ドリンクホルダー３０に対する第１ロックリブ１４のロックを解除することができる。
【００１９】
第２回転位置にあるドリンクホルダー３０は、支持軸１２が軸受け部４０の中央下部から上端側に位置する状態で、コンソールベース１０に設けられている第２ロックリブ１６によって回転をロックされるように設定されている（図８参照）。但し、図８では支持軸１２が軸受け部４０の上端部に位置する状態のみを表している。
第２ロックリブ１６は、第２回転位置にあるドリンクホルダー３０の前面３０ｂ側の下方で前後に延びている（図８参照）。第２ロックリブ１６は、支持軸１２が軸受け部４０の中央下部から上端側に位置する状態で、ドリンクホルダー３０の前面３０ｂの一端側と接触して、ドリンクホルダー３０の回転をロックすることができるように構成されている。この一端側とは、ドリンクホルダー３０の底面側のことである。
【００２０】
図７に示すように、第２回転位置にあるドリンクホルダー３０は、支持軸１２が軸受け部４０の下端部に位置する状態で第２ロックリブ１６によるロックが解除される。
【００２１】
ロックを解除されたドリンクホルダー３０の回転操作は、第１回転位置と第２回転位置との間で規制されるように構成されている。この回転操作を規制するための構成を、以下に説明する。
第２回転位置から第１回転位置へと回転操作されるドリンクホルダー３０は、コンソールベース１０に設けられている第１規制リブ１０ａによってその回転を第１回転位置で規制される（図５参照）。第１規制リブ１０ａは、第１回転位置にあるドリンクホルダー３０の後面３０ｃの後方で上下に延びている。そして、ドリンクホルダー３０が第１回転位置の側へ回転操作された場合に、該ドリンクホルダー３０の後面３０ｃの下部と接触して、その回転を停止することができるように構成されている。
図５に示すように、ドリンクホルダー３０の後面３０ｃの下端部分は、前方へ向けた傾斜面３０ｄとされている。これにより、回転操作時にドリンクホルダー３０が第１規制リブ１０ａと接触して回転を妨げられることが無い（図６参照）。
【００２２】
第１回転位置から第２回転位置へと回転操作されるドリンクホルダー３０は、コンソールベース１０に設けられている第２規制リブ１８によってその回転を第２回転位置で規制される（図７参照）。第２規制リブ１８は、第２回転位置にあるドリンクホルダー３０の前面３０ｂの下方で前後に延びている。そして、ドリンクホルダー３０が第２回転位置の側へ回転操作された場合に、該ドリンクホルダー３０の前面３０ｂの一端側と接触して、その回転を停止することができるように構成されている。この一端側とはドリンクホルダー３０の上面３０ａ側のことである。
第２規制リブ１８は、支持軸１２よりも前方に設けられている。そして、第２ロックリブ１６は第２規制リブ１８との間に所定寸法の空間Ｋを置いて第２規制リブ１８の後方に設けられている。第２規制リブ１８の前端は支持軸１２の下方に位置し、下方へ傾斜したリブ傾斜面１６ａとされている。これにより、回転操作時にドリンクホルダー３０が第２ロックリブ１６もしくは第２規制リブ１８に接触して回転を妨げられることが無い（図６および図７参照）。
【００２３】
つづいて、コンソール１の使用方法を説明する。
シートバック６０を前方へ倒し込んだ状態にあるとき、乗員は、第１回転位置でロックされ尚且つ位置決めされたドリンクホルダー３０（図４参照）に対してドリンク容器を収納することができる。このとき、ドリンクホルダー３０の上面３０ａは上方を向いている。
シートバック６０が起こされてシートが使用状態にあるとき、乗員は、第２回転位置でロックされ尚且つ位置決めされたドリンクホルダー３０（図９参照）に対してドリンク容器を収納することができる。このとき、ドリンクホルダー３０の上面３０ａは上方を向いている。
【００２４】
ドリンクホルダー３０を第１回転位置から第２回転位置への位置変更して使用する場合は、つぎのような操作を行う。ここでは、図４乃至図８によって、シートバック６０を前方へ倒し込んだ状態における位置変更の方法を説明する。
まず、第１回転位置で第１ロックリブ１４によって回転がロックされているドリンクホルダー３０（図４参照）を上方にスライドさせ、ロックを解除する（図５参照）。そして、ドリンクホルダー３０を第１回転位置から第２回転位置へと回転させる（図６参照）。回転操作されたドリンクホルダー３０が、第２規制リブ１８によってその回転を停止された後に（図７参照）、該ドリンクホルダー３０を後方にスライドさせて位置決めする（図８参照）。このとき、ドリンクホルダー３０は、第２回転位置で第２ロックリブ１６によって回転をロックされている。
【００２５】
ドリンクホルダー３０を第２回転位置から第１回転位置へ位置変更して使用する場合には、つぎのような操作を行う。
まず、第２回転位置で第２ロックリブ１６によって回転がロックされているドリンクホルダー３０を前方にスライドさせ、ロックを解除する。そして、ドリンクホルダー３０を第２回転位置から第１回転位置へと回転させる。回転操作されたドリンクホルダー３０が、第１規制リブ１０ａによってその回転を停止された後に、該ドリンクホルダー３０を下方にスライドさせて位置決めする。このとき、ドリンクホルダー３０は、第１回転位置で第１ロックリブ１４によって回転をロックされている。
【００２６】
シートバック６０を起こしたシートの使用状態で、ドリンクホルダー３０を第１回転位置から第２回転位置へ、もしくはその逆へと位置変更して使用することもできる。その場合には、つぎのような操作を行う。
まず、第１回転位置もしくは第２回転位置でロックされているドリンクホルダー３０をシートバック６０の後方もしくは上方へスライドさせてロックを解除し、該ドリンクホルダー３０を第２回転位置の側もしくは第１回転位置の側へ回転操作する。そして、ドリンクホルダー３０が第２規制リブ１８もしくは第１規制リブ１０ａによって回転操作を停止されたところで、該ドリンクホルダー３０をシートバックの下方もしくは前方へスライドさせて第２回転位置もしくは第１回転位置でロック状態とすると共に位置決めする。
【００２７】
このように、コンソール１において、ドリンクホルダー３０はシートバック６０の傾斜角度に合わせて、その使用に適した回転位置に回転操作でき、かつ、その回転位置でロックされる。そのため、シートバック６０がどのような傾斜角度に調整されても、ドリンクホルダー３０を常に使いやすい姿勢に保つことができる。
図１０に示すように、軸受け部４０の上端部で位置決めされた状態のドリンクホルダー３０を上方へスライドさせて、支持軸１２を軸受け部４０の膨出部４２で位置きめすることで、使用状態にあるドリンクホルダー３０を好みの高さに調整することができる。支持軸１２を膨出部４２に位置決めするときのスライド操作には節度感が伴う。
【００２８】
以上は本発明を実施するための最良の形態を図面に関連して説明したが、この実施の形態は本発明の趣旨から逸脱しない範囲で容易に変更または変形できるものである。
例えば、コンソール１は、シートバック６０に限らず傾斜角度を調整して使用することのできる部材であれば、どのような部材であっても該部材に対して設置して使用することができる。
また、コンソール１における機能部材をトレイとすることもできる。この場合のトレイは、例えば、図２に示すドリンクホルダー３０における４つの容器保持部を一続きの凹部に変更した構成とされる。
【符号の説明】
【００２９】
１     コンソール
１０   コンソールベース
１２   支持軸
３０   ドリンクホルダー
６０   シートバック
【図１】
2015009664.tif 000003
【図２】
2015009664.tif 000004
【図３】
2015009664.tif 000005
【図４】
2015009664.tif 000006
【図５】
2015009664.tif 000007
【図６】
2015009664.tif 000008
【図７】
2015009664.tif 000009
【図８】
2015009664.tif 000010
【図９】
2015009664.tif 000011
【図１０】
2015009664.tif 000012